(57)【特許請求の範囲】
【請求項１】
（ａ）ロックボルト用開口に対して通常突出したロック位置と外部の開放力によって強制的に回転する時の引っ込められたロック解除位置とのあいだを回転自在に往復し得るロータリーロックボルト（６５）、
（ｂ）前記ロータリーロックボルトを前記通常突出したロック位置に付勢するための付勢手段および
（ｃ）前記ロータリーロックボルトの強制的な回転を、それぞれ防止し、可能にするために、ブロック位置と非ブロック位置とのあいだで往復し得るブロック部材（１３１）からなる電磁ロック機構であって、
前記ロータリーロックボルトがカム面（７７）を有し、
前記付勢手段が、前記カム面と連続的に当接係合する当接面（７８）をもつ先頭部分を有し、かつ前記ロックボルトを前記通常突出したロック位置へ付勢するために前記ロックボルト用開口に対して通常突出した付勢された位置から前記ロックボルトの強制的な回転のあいだの単一の連続的な運動における引っ込められた位置へリニアに往復することができ、かつ
前記ブロック部材が、前記ブロック位置において、前記通常突出した付勢された位置から前記引っ込められた位置への前記ロックボルト付勢部材の逆向きの変位を防止し、前記非ブロック位置において、逆向きの変位を可能にすることを特徴とする
電磁ロック機構。
【請求項２】
前記当接面が、前記通常突出した付勢された位置において、前記ロックボルト用開口を横断する請求項１記載の機構。
【請求項３】
前記先頭部分およびロータリーロックボルトが、前記当接面に実質的に平行な対角線を有する仮想の正方形を規定する請求項１または２記載の機構。
【請求項４】
前記ロータリーロックボルトが、実質的にＰ字形状である請求項１、２または３のいずれか１項に記載の機構。
【請求項５】
互いによりよく制御された摺動係合のために、前記当接面およびカム面に溝（７９）と相補的な突起が形成されてなる請求項１、２、３または４のいずれか１項に記載の機構。
【請求項６】
前記ブロック部材が、前記ロックボルト付勢部材に連結されたロックボルト繋留部材と操作自在に関連づけられ、前記ロックボルト付勢部材の往復の方向に対して横断する方向にリニアに往復し得る請求項１、２、３、４または５のいずれか１項に記載の機構。
【請求項７】
前記ロックボルト付勢部材およびロックボルト繋留部材が一体的に形成されてなる請求項６記載の機構。
【請求項８】
前記ロックボルト付勢部材が前記ロックボルト繋留部材に着脱自在に連結され、前記ロータリーロックボルトおよびロックボルト付勢部材の位置が、時計方向または反時計方向に操作し得るボルトワーク機構と共に使用し得るように、当該機構相互に交換可能である請求項６記載の機構。
【請求項９】
前記通常突出しているロック位置と第２の引っ込められた位置とのあいだで前記ロータリーロックボルトを選択的に変位するために外向きおよび内向きの位置のあいだでリニアに往復し得るハンドル操作されるキャリッジ（９５）をさらに備え、前記ブロック部材が前記外向きの位置から内向きの位置まで前記キャリッジを選択的に逆向きに変位させる請求項１、２、３、４、５、６、７または８のいずれか１項に記載の機構。
【発明の詳細な説明】
【０００１】
［発明の分野］
本発明は一般的に電気機械式ロック機構に関する。さらに詳しくは、ロータリーロックボルト(rotary lock bolt)を有する電気機械式ロック機構に関する。
【０００２】
［発明の背景］
ウィードらの米国特許第５，１３４，８７０号明細書において、ロータリーロックボルトを含む電磁ロック機構が描かれ、かつ記載されており、該ロータリーロックボルトは、ハンドル駆動されるボルトワーク機構を介してドアのロックとロックの解除とを制御しており、該ボルトワーク機構は、ドアのロックされた状態とロックが解除された状態とに対応する第１の操作位置と第１の操作位置とのあいだを往復し得る。時計方向に操作し得るボルトワーク機構および反時計方向に操作し得るボルトワーク機構のうちのいずれか一方、または両方の使用に適した前記電磁ロック機構に代わる手段が要求される。
【０００３】
当該ロータリーロックボルトは、付勢ばねによって通常突出しているロック位置に圧入され、これによってボルトワーク部材の経路に横断するように設けられる。当該ボルトワーク部材は、摺動自在に当接して、後者の第１の操作位置から第２の操作位置までの変位のあいだ実質的に引っ込められたロック解除まで前者を強制的に回転させる。許されていないドアの開放を防止するために、ロータリーロックボルト回転はソレノイドアーマチュア(solenoid armature)によって停止される。該ソレノイドアーマチュアはディジタル式キーパッド入力装置を介してアクセスコードを入力すると引っ込められる。許されていない開放のあいだ（すなわち、ソレノイドが延びているとき）、該ソレノイドアーマチュアへの不正な剪断応力を回避するために、ロータリーロックボルトに安全ノッチが設けられる。当該安全ノッチは、ロータリーロックボルトがソレノイドアーマチュアとの接点の周りを僅かに回転したのちに安全キーと係合する。
【０００４】
操作中、付勢ばねは、ボルトワーク部材とロータリーロックボルトとのあいだの最初の接触から増加する抵抗を該ボルトワーク部材の第２の操作位置までの自由に移動するまで与えるので好ましくない。第２に、前記安全ノッチと安全キーとのあいだで係合する前に当該ボルトワーク機構に好ましくない遊びがある。最後に、前記安全ノッチと安全キーとのあいだの係合が、ボルトワーク機構をいわゆるデッドロック状態で操作不能にするかもしれないが、これは付勢ばねが、ボルトワーク部材の第１の操作位置まで戻る際にロータリーロックボルトを通常の突出ロック位置まで戻さないことに起因している。
【０００５】
［発明の要旨］
本発明の第１の側面によれば、
（ａ）通常突出したロック位置と外部の開放力によって強制的に回転する時の引っ込められたロック解除位置とのあいだを回転自在に往復し得るロータリーロックボルト、
（ｂ）前記ロータリーロックボルトと連続的な当接係合し、前記ロータリーロックボルトを前記通常突出したロック位置に付勢するための通常外向きに付勢された位置と、前記ロータリーロックボルトの強制的な回転時の引っ込められた位置とのあいだでリニアに往復し得るロックボルト付勢部材、および
（ｃ）前記ロックボルトの通常外向きに付勢された位置からロータリーロックボルトの通常突出したロック位置と、前記ロータリーロックボルトの強制的な回転時の引っ込められた位置までの逆向きの変位を、それぞれ防止し、可能にするための前記通常突出したロック位置におけるブロック位置と、非ブロック位置とのあいだで往復し得るブロック部材
からなる電磁ロック機構が提供される。
【０００６】
本発明の電磁ロック機構は、たとえば、アクセスコードを入力すると、通常突出したロック位置からロックが解除された引っ込められた位置までロータリーロックボルトを強制的に回転させるためのボルトワーク部材によって、叙上のようなハンドル駆動されるボルトワーク機構を有する金庫、金庫室、留置場などで従来のように設けるのに適合される。簡易化された構成では、本発明の電磁ロック機構は、たとえば時計方向または反時計方向に操作し得るボルトワーク機構のいずれか１つのタイプへの使用に適している。本発明の電磁ロック機構の修正された構成では、ロータリーロックボルトおよびボルトロック付勢部材の位置は、電磁ロック機構が時計方向または反時計方向のいずれのボルトワーク機構にも設けられ得るように互換性がある。本発明の電磁ロック機構は、たとえば、前述の米国特許第５，１３４，８７０号明細書に描かれ、かつ記載されているようなロータリーロックボルトを備えた他の構成のような本発明の電磁ロック機構が、ハンドル操作されるロックによって直接ロックされたり、ロックが解除される、典型的な小さい金庫への取り付けに適しているので好ましい。
【０００７】
ロータリーロックボルトは、ロックボルト付勢部材の当接面との連続した当接係合するカム面を有している。当該ロックボルト付勢部材はリニアな往複の方向に関して傾斜している。ロックボルト付勢部材は、追随部材に対して作用し、該ロックボルト付勢手段の逆向きの変位と同じ方向に圧縮し得る付勢ばねによって通常外向きに付勢されるのが好ましい。係止手段のブロック部材を構成しているソレノイドアーマチュアは、ロックボルト付勢手段のリニアな往復に対して直角の方向に往復可能であることが好ましい。ソレノイドアーマチュアは、ロックボルト繋留部材と操作自在に関連付けられている。該ロックボルト繋留部材は本発明の電磁ロック機構の簡単な構成によってロックボルト付勢部材と共に形成されており、時計方向または反時計方向のいずれの方向にも操作可能なボルトワーク機構における使用に適した本発明の電磁ロック機構の修正された構成によって着脱自在である。ソレノイドアーマチュアは、ロックボルト付勢部材の通常外向きに付勢された位置における外向きに付勢されたブロック位置と、ロックボルト付勢部材の逆向きの変位を可能にする引っ込められた非ブロック位置とのあいだで選択的に往復し得る。ソレノイドは、好ましくは、磁石により保持されるソレノイドであり、同時に、コード入力手段はPCT/IL98/00105に記載されたようなデータ受信手段によって実行されることが好ましい。長寿命の電池が設けられた本発明の電磁ロック機構は数年間の有益な寿命を有しており、その寿命のあいだ何千回も操作され得る。
【０００８】
操作中、ソレノイドアーマチュアは、ロックボルトの回転に加えられる外部開放力のために充分な時間のあいだのアクセス時に引っ込められ、通常外側に付勢された位置から引っ込められた位置までロックボルト付勢部材の逆向きの変位のあいだ付勢ばねを圧縮する。ロータリーロックボルトがゆっくりと強制的にロック解除位置に引っ込められると、長いアームを超えてゆっくりと作用するカム作用により、付勢ばねを圧縮するために要求される力は次第に小さくなる。ソレノイドアーマチュアは、試みられた許可されていない開放に対して実際に直ちに積極的なブロック作用を与え、デッドロック状態の可能性が起きることを排除している。ドアに試みられた許可されていない開放において、ロータリーロックボルトに加えられた力は内部支持構造に作用し、これによってソレノイドアーマチュアに直接加えられる力を減少する。
【０００９】
本発明の第２の側面によれば、
（ａ）通常突出しているロック位置と外部の開放力によって強制的に回転する際の第１の引っ込められたロック解除位置とのあいだで回転自在に往復し得るロータリーロックボルト、
（ｂ）通常突出しているロック位置と第２の引っ込められたロック解除位置とのあいだで前記ロータリーロックボルトを選択的に変位するための外向きと内向き位置のあいだでリニアに往復し得るハンドル操作されるキャリッジ、および
（ｃ）前記ロータリーロックボルトの通常突出しているロック位置におけるブロック位置と、前記キャリッジの逆向きの変位を防止し、可能にするための非ブロック位置とのあいだで往復し得るブロック部材
からなる電磁ロック機構が提供される。
【００１０】
［発明の実施の形態］
本発明の異なる態様をよりよく理解し、かつ該発明が実際にどのように実行されるのかを示すために、好ましい実施の形態を、制限されない例として、添付図面を参照しながら説明する。
【００１１】
図１には、ハンドル駆動のボルトワーク（bolt works）機構２が設けられた金庫のドア１の内面が示されている。該ボルトワーク機構２は、ボルトワーク部材３、４および５が、それぞれ、ドアの通常ロック状態およびロック解除状態に対応して、通常突出しているロック位置と引っ込められたロック解除位置とのあいだを、往復移動する。ボルトワーク機構２は、いわゆる「反時計方向に操作される」。なぜならば、そのボルトワーク部材は、ハンドル７の反時計方向の回転のときに、通常突出するロック位置からそれらが引っ込められたロック解除位置へ往復移動する。ボルトワーク機構２の往復移動は、ボルトワーク部材３に形成された凹部１１にぴったり受けとめられるロックボルト１０を有する錠９を用いて、コード入力手段８を介してのアクセスコードの入力のときに、選択的に可能である。
【００１２】
図２には、コード入力手段１４と、それぞれロックボルト２１、２２および２３に連結された、ロックボルト１７および一対のロック部材１９、２０を有する錠１６を直接ロックおよびロック解除するハンドル１５とを有する金庫のドア１３の内面が示されている。該ロックボルト２１、２２および２３は、ドアの通常ロック状態およびロック解除状態に対応して、それぞれ通常突出しているロック位置と引っ込められたロック解除位置とのあいだを、往復移動する。
【００１３】
図３および４には、前記錠９および１６を構成し、かつ３本のボルト３１、３２、３３によって金庫のドアに取り付けることができる貫通孔２７、２８および２９を有するロックハウジング２６を含む錠２５が示されている。ロックハウジング２６は、メインブロック３４、およびネジ山が刻まれた穴３９、４０（図４参照）によって受けられるネジ３７、３８によってメインブロック３４に取り付けるためのカバープレート３５含む。メインブロック３４は、金庫のドアに並ぶ正面４１を含む。正面４１は、一般的に矩形形状のロックボルト用開口４９および止め部５０が形成された短い側壁４７に隣接してその一端部に４つの貫通孔４３、４４、４５および４６が形成されている。
【００１４】
ロックボルト１０、１７に対応するツーピースのロックボルト４８は、ロックボルト用開口４９を通して突出している。図２の金庫のドア１３に連結して用いるために、メインブロックの正面４１には、一対のロック部材１９、２０を受けとめるために、横断して配置された溝５１が形成されている。ロック部材１９、２０は、それぞれ、回転自在の円板５５の下面に形成された斜めに対向する突起５２、５３に、それぞれ回転自在に取り付けられ、曲がったガイド５７、５８に沿って進む。ロック部材１９、２０は、ネジ山が刻まれた穴６３、６４に受けられたネジ６１、６２によって、正面４１に固定されたカバー５９によって所定の場所に保持される。回転自在の円板５５は、中央の正方形の開口５６を有している。開口５６には、ロックボルト４８およびロック部材１９、２０をそれらの通常突出するロック位置と引っ込められたロック解除位置とのあいだを往復移動させるために、回転自在の円板５５を回転させるためのハンドル１５が支持されている。
【００１５】
図５〜７には、ロックボルト４８が、上面図（図６参照）における仮想の正方形を規定する相補的な形状を有し、かつ共通の上下の面６８、６９（図７参照）を有する、実質的にＰ字形状のロータリーロックベルト６５と、実質的に直角に形成されたロックベルト付勢部材６７とから構成されていることが示されている。ロータリーロックボルト６５は、脚部分７０および本体部分７１を有しており、ロックボルト付勢部材６７は、全幅の後部分７３および先頭部分７４を有している。ロックボルト付勢部材６７には、少なくとも部分的に付勢バネ７６（図１０参照）を受けるためのめくら穴７５が形成されている。
【００１６】
本体部分７１は、仮想正方形の対角線に実質的に平行な先頭部分の傾斜した当接面７８に連続的に当接して係合するカム面７７を有する。カム面７７および当接面７８には、それらのあいだにより良好な制御されたスライド係合を容易に行なうための溝７９および噛合突起８０が形成されている。
【００１７】
ロータリーロックボルトの脚７０には、セットネジ８２を受けるためのネジ山が形成された貫通孔８１が形成されている。ロックボルト付勢部材の後部分７３には、同一のセットネジ８６、８７を受けるための一対のネジ山が形成された貫通孔８３、８５が形成されている。穴８１、８３および８５は、下側からセットネジをすべて挿入するときに、セットネジ８２の頭部が下面６９（図８参照）から下に突出するようになっており、セットネジ８６の部分は上面６８の上に突出し、セットネジ８７の頭部は下面６９（図９参照）の下に突出している。
【００１８】
ロッキングロータリーボルト６５およびロックボルト付勢部材６７の相補的な形状は、ロッキングボルト２１（図２参照）を取り付けることができるネジ山が形成されためくら穴９１、９２が設けられた同一平面上の端面８８、８９を有している。
【００１９】
図１０〜１３を見れば、キャリッジ９５には、先頭部分９６、および回転自在の円板５５の一部に重なる先頭部分に関連して進む後部分９７が形成されている。先頭部分９６は、中央のウェブ（Web）部分９８が止め部５０および横方向伸長部９９、１０１（図１２参照）に当接するように二股に分かれている。後部分９７には、回転自在の円板５５の上面の突起１０３に係合するためにノッチ１０２が設けられているため、回転自在の円板５５の回転は、止め部５０に対して並ぶ外向き位置と内向き位置とのあいだでキャリッジ９５を往復移動させる。
【００２０】
内壁構造物１０４および一対の内壁１０６、１０７が、極限の外向きおよび内向き位置で往復移動するあいだ、キャリッジ９５を横向きに押さえる。キャリッジの後部分９７に形成された開口１１１に受けられた一方の脚１０９および内壁構造物１０４に形成された開口１１３に受けられた他方の脚１１２を有するＵ字形状のバネ１０８は、キャリッジの極限位置のいずれか１つにおける開かれた位置に通常付勢されている。
【００２１】
横方向伸長部９９には、一対の貫通孔１１４、１１６が形成され、横方向伸長部１０１には、単一の貫通孔１１７および切欠部分１１８が形成されている。組立て中、キャリッジの中央ウェブ９８が、止め部５０に対して並んでいるとき、貫通孔１１４、１１６および１１７は、それぞれ４５、４６、４３に重なる。一方、切欠部分１１８は、貫通孔４４に重なる。それにより、セットネジ８２、８６および８７を本体ブロックの正面４１から挿入することができる。
【００２２】
直角のフランジ１１９は、一方では回転自在の円板５５を固定するために、他方では電池１２０の収納区画を設けるために、設けられている。内壁１０６には、付勢バネ７６が設けられる支持棒１２１が設けられている。
【００２３】
ロックボルト繋留部材１２２は、ロータリーロックボルト６５およびロックボルト付勢部材６７とともに、キャリッジ９５に重なる。ロックボルト繋留部材１２２には、前に出た先頭部分１２３、中間部分１２４および凹んだ後部分１２６が形成されている。前に出た先頭部分１２３は、ロックボルト付勢部材６７の後部分７３の左部分を受けるように構成されており、セットネジ８６（図１５参照）の上に突出する部分を受けるために、ネジ山が形成された貫通孔１２７が形成され、それにより、バネに付勢されたロックボルト付勢部材６７およびロックボルト繋留部材１２２がロックボルト付勢機構１２８（図１２参照）を構成する。
【００２４】
付勢バネ７６の働きにより、ロックボルト付勢機構１２８は、順にロータリーロックボルト６５を通常突出するロック位置に付勢する通常外向きに偏った位置に付勢されている。ロータリーロックボルト６５に回転力が与えられたとき、ロータリーロックボルト６５は、貫通孔１１４（図１４参照）にあるセットネジ８２周りに回転することにより、実質的に引っ込められたロック解除位置では側壁４７と同一面になる。それにより、ロックボルト付勢機構１２８を内壁１０６に対して引っ込められた位置にさせる。ロックボルト付勢機構１２８の正確な往復移動は、セットネジ８７が切欠部分１１８の側面に沿ってスライドすることにより、容易に行なわれる。
【００２５】
アーマチュア１３１を有し、磁力で止めるソレノイド１２９は、コード入力手段（図１０参照）に接続されたコントローラ１３２で制御される。アーマチュア１３１は、引っ込められたロック解除位置とロックボルト繋留部材の中間または後の位置１１２４、１２６のいずれかに向って配置された外向きに付勢したブロッキングとのあいだで、ロックボルト付勢機構１２８の往復移動の方向と直交する方向に往復移動できる。
【００２６】
図１６には、ロータリーロックボルト６５およびロックボルト付勢部材６７の位置が裏返されることにより、錠２５が反時計方向に操作されるボルトワーク機構を用いて利用されるために適合され得ることが示されている。この場合、ロータリーロックボルト６５は、貫通孔４３を通して挿入された１個のセットネジを介して回転自在に設けられる。ロックジョイント付勢部材６７によって受けられた他の２本のセットネジは、前述のように、孔４４、４６に挿入される。
【００２７】
図１のロック９の操作は、図１７Ａ〜１７Ｆを参照しながら説明する。錠９の通常状態では、ロックボルト１０は、突出する位置にある。ロックボルト付勢機構１２８は、外向きに付勢した位置にある。キャリッジ９５は、ロックボルトの開口４９に向って設けられる。ソレノイドのアーマチュア１３１は、ロックボルト繋留部材の後の位置１２６（図１７Ａ参照）に対して外向きに付勢したブロック位置にある。試みられた許可されていない入力の場合、ロックボルト１０に与えられる力は、主にロックボルト付勢部材６７が異なる内側構造物に対して付勢されることにより散らされる。それにより、アーマチュア１３１に対して与えられる力は相当低減する。
【００２８】
アクセスコードの入力のときに、ソレノイド１２９が作動することにより、アーマチュア１３１は引っ込められた非ブロック位置（図１７Ｂ参照）に磁力で止められる。アーマチュア１３１は、金庫のドアを開ける、すなわちボルトワーク部材３を下方に移動させる（図１７Ｃ参照）ために、ボルトワーク機構を操作するのに充分な時間のあいだ止められる。それにより、ロータリーロックボルト６５は、ロックボルト付勢機構１２８（図１７Ｄ参照）を後方へ移動させながら、引っ込められたロック解除位置に強制的に回転される。ロータリーロックボルト６５を引っ込められたロック解除位置に押すのに必要な力は、徐々に減少する。なぜならば、カム面７７が当接面７８に沿って滑るように、力が長いほうのアームを超えて作用するからである。
【００２９】
金庫のドアを開ければ、ソレノイド１２９は、つぎにアーマチュア１３１を外向きに付勢されたブロック位置に付勢するために作動する。しかし、アーマチュア１３１がロックボルト繋留部材の後ろの位置１２６に対して付勢される代わりに、中間位置１２４に対して付勢される。なぜならば、ロータリーロックボルト６５が引っ込まれているからである（図１７Ｅ参照）。ボルト３を上方へ移動して金庫のドアをロックするために、ボルトワーク機構が操作されるとき（図１７Ｆ参照）、アーマチュア１３１は、後ろの位置１２６に対して付勢される。
【００３０】
図２の錠の操作を、図１８Ａ〜１８Ｆを参照しながら説明する。錠１６の通常の状態では、ロックボルト１７は突出している位置にあり、ロックボルト付勢機構１２８は外向きに付勢された位置にあり、キャリッジ９５は、ロックボルトの開口４９に向って設けられており、アーマチュア１３１はロックボルト繋留部材の後ろの位置１２６（図１８Ａ参照）に対して外向きに付勢されたブロック位置にある。この配置では、試みられた許可されていない錠の開放の場合には、ロックボルト１７に対して与えられる水平方向の力の大部分は、アーマチュア１３１に取られる。
【００３１】
アクセスコードの入力のときに、ソレノイド１２９が作動することにより、アーマチュア１３１は引っ込められた非ブロック位置に磁力で止められる（図１８Ｂ参照）。金庫のドアを開ける、すなわちハンドル１５を反時計方向に回転することによってロックボルト１７およびロック部材１９、２０を引っ込められたロック解除位置（図１８Ｃ参照）に付勢するのに充分な時間のあいだ、アーマチュア１３１は止められる。ロータリーロックボルト６５を後方に付勢するとき、ロックボルト付勢機構１２８は、単にキャリッジ９５の移動が進むだけである。
【００３２】
いったんドアが開くと、つぎに、アーマチュア１３１を外向きに付勢されたブロック位置に付勢するために、ソレノイド１２９が作動する。しかし、アーマチュア１３１がロックボルト繋留部材の後ろの位置１２６に対して付勢される代わりに、中間の位置１２４に対して付勢される。なぜならば、ロータリーロックボルト６５が引っ込められたロック解除位置（図１８Ｄ参照）にあるからである。金庫のドアを開けるためにハンドル１５が時計方向に回転するとき（図１８Ｅ参照）、アーマチュア１３１は後ろの位置１２６に対して付勢される。
【００３３】
なお、本発明は、限られた数の実施例に関して説明されているが、本発明の多くの変更、修正ならびに他の応用例が、添付の請求項の範囲から逸脱することなく、行なわれ得ることが理解される。たとえば、図１９Ａおよび１９Ｂには、それぞれ反時計方向に操作および時計方向に操作されるボルトワーク機構に用いるための、ロックボルト付勢部材６７がロックボルト繋留部材１２２と一体成形された、電磁ロック機構１３４、１３６が示されている。図２０Ａおよび２０Ｂには、反時計方向に操作されるボルトワーク機構（図２０Ａ参照）または時計方向に操作されるボルトワーク機構（図２０Ｂ参照）に用いるために、ロックボルト繋留部材１２２に取り外し自在に取り付けられたロックボルト付勢部材６７を有する電磁ロック機構１３７が示されている。
【図面の簡単な説明】
【図１】  反時計方向に操作されるハンドル駆動のボルトワーク機構によって、ロックおよびロック解除される金庫のドアの内面を示す図である。
【図２】  ハンドルによって、直接ロックおよびロック解除される金庫のドアの内面を示す図である。
【図３】  図１または図２の金庫のドアのいずれか１つに組み込むための本発明の電磁ロック機構を有する錠の部分的に展開された拡大正面図である。
【図４】  図１または図２の金庫のドアのいずれか１つに組み込むための本発明の電磁ロック機構を有する錠の部分的に展開された拡大背面図である。
【図５】  本発明の電磁ロック機構のロックボルトの拡大図である。
【図６】  本発明の電磁ロック機構のロックボルトの上面図である。
【図７】  本発明の電磁ロック機構のロックボルトの正面図である。
【図８】  図５のVIII−VIII線断面図である。
【図９】  図５のIX−IX線断面図である。
【図１０】  本発明の電磁ロック機構の異なる組立線の展開図である。
【図１１】  本発明の電磁ロック機構の異なる組立線の展開図である。
【図１２】  図３および４の錠の部分的に組み立てられた状態の部分切欠図である。
【図１３】  図３および４の錠の完全に組み立てられた状態の部分切欠図である。
【図１４】  図１３のXIV−XIV線断面図である。
【図１５】  図１３のXV−XV線断面図である。
【図１６】  反時計方向に操作されるハンドル駆動のボルトワーク機構を用いた利用のために裏返された、そのロータリーロックボルトおよびロックボルト付勢部材を有する図３および４の錠の斜視図である。
【図１７Ａ】  図１の金庫のドアのロック解除およびロック操作の手順を示す図である。
【図１７Ｂ】  図１の金庫のドアのロック解除およびロック操作の手順を示す図である。
【図１７Ｃ】  図１の金庫のドアのロック解除およびロック操作の手順を示す図である。
【図１７Ｄ】  図１の金庫のドアのロック解除およびロック操作の手順を示す図である。
【図１７Ｅ】  図１の金庫のドアのロック解除およびロック操作の手順を示す図である。
【図１７Ｆ】  図１の金庫のドアのロック解除およびロック操作の手順を示す図である。
【図１８Ａ】  図２の金庫のドアのロックおよびロック解除の操作のための手順を示す図である。
【図１８Ｂ】  図２の金庫のドアのロックおよびロック解除の操作のための手順を示す図である。
【図１８Ｃ】  図２の金庫のドアのロックおよびロック解除の操作のための手順を示す図である。
【図１８Ｄ】  図２の金庫のドアのロックおよびロック解除の操作のための手順を示す図である。
【図１８Ｅ】  図２の金庫のドアのロックおよびロック解除の操作のための手順を示す図であ
【図１９Ａ】  反時計方向に操作されるボルトワーク機構を用いた利用のための本発明の電磁ロック機構の上面図である。
【図１９Ｂ】  時計方向に操作されるボルトワーク機構を用いた利用のための本発明の電磁ロック機構の上面図である。
【図２０Ａ】  反時計方向に操作されるボルトワーク機構を用いた利用のための本発明の電磁ロック機構の上面図である。
【図２０Ｂ】  時計方向に操作されるボルトワーク機構を用いた利用のための本発明の電磁ロック機構の上面図である。
【図１】
0003681638.tif 000002
【図２】
0003681638.tif 000003
【図３】
0003681638.tif 000004
【図４】
0003681638.tif 000005
【図５】
0003681638.tif 000006
【図６】
0003681638.tif 000007
【図７】
0003681638.tif 000008
【図８】
0003681638.tif 000009
【図９】
0003681638.tif 000010
【図１０】
0003681638.tif 000011
【図１１】
0003681638.tif 000012
【図１２】
0003681638.tif 000013
【図１３】
0003681638.tif 000014
【図１４】
0003681638.tif 000015
【図１５】
0003681638.tif 000016
【図１６】
0003681638.tif 000017
【図１７Ａ】
0003681638.tif 000018
【図１７Ｂ】
0003681638.tif 000019
【図１７Ｃ】
0003681638.tif 000020
【図１７Ｄ】
0003681638.tif 000021
【図１７Ｅ】
0003681638.tif 000022
【図１７Ｆ】
0003681638.tif 000023
【図１８Ａ】
0003681638.tif 000024
【図１８Ｂ】
0003681638.tif 000025
【図１８Ｃ】
0003681638.tif 000026
【図１８Ｄ】
0003681638.tif 000027
【図１８Ｅ】
0003681638.tif 000028
【図１９Ａ】
0003681638.tif 000029
【図１９Ｂ】
0003681638.tif 000030
【図２０Ａ】
0003681638.tif 000031
【図２０Ｂ】
0003681638.tif 000032